(57)【要約】【課題】乳児が装着して湿疹やアトピー性皮膚炎等のかゆみによる掻きむしり等の有害行為を防ぐことが可能で、入浴時の装着に適し、若いお母さんにも好まれるような可愛らしいデザインの赤ちゃん用掻きむしり防止手袋を提供する。【解決手段】被着者１０の５本の指１〜５の全部を一まとめに収容する赤ちゃん用掻きむしり防止手袋２０であって、少なくともシリコーンゴム層を有する単層又は多層構造の弾性膜６で形成され、被着者１０の手１６を出し入れする手首側開口部７と、被着者１０の小指５を通さない大きさで複数が穿設された流通孔８と、手首側開口部７の近傍には、弾性膜６の弾性に抗して拡径したときに被着者１０のすぼめた手１６を抵抗少なく出し入れ可能で、かつ弾性により縮径したときに被着者１０の手首１７の外径Ｆと略一致するか又は柔軟に絞めて自然離脱し難く構成された内径Ｇの括れ部９と、を備えた。【選択図】図１
2017014646.tif 000002
【特許請求の範囲】
【請求項１】
被着者の５本の指の全部を一まとめに収容する赤ちゃん用掻きむしり防止手袋であって、
少なくともシリコーンゴム層を有する単層又は多層構造の弾性膜で形成され、
前記被着者の手を出し入れする手首側開口部と、
前記被着者のいずれの指をも通さない構造で複数が穿設された流通孔と、
前記手首側開口部の近傍には、前記弾性膜の弾性に抗して拡径したときに前記被着者のすぼめた手を抵抗少なく出し入れ可能で、かつ前記弾性により縮径したときに前記被着者の手首の外径と略一致するか又は柔軟に絞めて自然離脱し難く構成された内径の括れ部と、
を備えたことを特徴とする赤ちゃん用掻きむしり防止手袋。
【請求項２】
前記流通孔は、前記被着者のいずれの指の第１関節より指先側の直径よりも小さい直径であることを特徴とする請求項１に記載の赤ちゃん用掻きむしり防止手袋。
【請求項３】
前記流通孔は、メッシュにより構成されることを特徴とする請求項１に記載の赤ちゃん用掻きむしり防止手袋。
【発明の詳細な説明】
【技術分野】
【０００１】
本発明は、赤ちゃん用掻きむしり防止手袋に関し、特に乳児が入浴した際、湿疹やアトピー性皮膚炎等のかゆみによる掻きむしり等の有害行為を防ぐための赤ちゃん用掻きむしり防止手袋に関する。
【背景技術】
【０００２】
特許文献１には、小児の湿疹やアトピー性皮膚炎等のかゆみによる掻きむしり等の有害行為を防ぐための手袋（ミトン）であり、かつ、指しゃぶり・サイズ調整も可能にし、自由離脱を防げるサイズ調整式おしゃぶり用ミトンが開示されている。従来、この種の手袋において、すべての指が覆われ、手首付近でゴム等により固定されていることが多く、指しゃぶりができない・サイズが合わない・ゴムが伸び縮みするため小児自らひっぱり離脱してしまう欠点を解決したものである。
【０００３】
具体的には、手袋（ミトン）の親指側を縫ってとじてしまわず、人差し指が出ない程度までにとどめ親指が出せるようにあけておく。また、すべての指を包む場合は開口部を手首付近のみに小さくとる。手首の固定部を開口部の位置にとり平面テープ固定にするというものである。
【０００４】
特許文献２には、内面をフッ素ゴム又はシリコーンゴムで被覆することにより、スムーズに手を抜き去ることができ、操作性を向上させた厚手のミトン状又は手袋状に形成されてなる鍋つかみ兼鍋蓋置き具が開示されている。
【０００５】
特許文献３には、電子部品などをクリーンルーム内で取り扱う場合や医用などの用途に好適に用いられる極薄のシリコーンゴム手袋が開示されている。従来のこの種の用途に用いられる手袋は主として天然ゴムラテックス製である。しかし、天然ゴムラテックス製の手袋は、締め付け力が強く、長時間装着すると疲労感が強く、またアトピー体質の人が装着するとアレルギー症状を起こす等の問題があった。
【０００６】
特許文献３に開示された極薄のシリコーンゴム手袋は、上記問題を改善するためになされたもので、フィット性が良好であると共に、締め付け力が小さく、脱落しない滑り層を設けているためクリーンルーム内での使用も可能であり、作業性に優れた極薄のシリコーンゴム手袋である。
【０００７】
具体的には、引き裂き強さ２０ｋｇｆ／ｃｍ以上の硬化物を与える付加型液状シリコーンゴム組成物から形成され、厚さが０．０５〜０．８ｍｍの手袋本体の外表面部に高さ０．１ｍｍ以下の多数の微細突起を形成すると共に、上記手袋本体の内面の少なくとも基端側に滑り層を形成したことを特徴とするシリコーンゴム手袋である。また、シリコーンゴム手袋内面の滑り層がシリコーン樹脂で形成されたものである。
【先行技術文献】
【特許文献】
【０００８】
【特許文献１】特開２００６−２９１４３３号公報
【特許文献２】実用新案登録第３０８１５６３号公報
【特許文献３】特開平７−８２６０３号公報
【発明の概要】
【発明が解決しようとする課題】
【０００９】
しかしながら、特許文献１に開示された、小児の湿疹やアトピー性皮膚炎等のかゆみによる掻きむしり等の有害行為を防ぐための手袋（ミトン）は、入浴時に装着するものではなく、入浴時には水分を含んで重くなり、乳児の手に負荷がかかり過ぎるという問題がある。
【００１０】
また、特許文献２に開示された、内面をフッ素ゴム又はシリコーンゴムで被覆することにより、スムーズに手を抜き去ることができ、操作性を向上させた厚手のミトン状又は手袋状に形成されてなる鍋つかみ兼鍋蓋置き具も、生後１年位までの乳児が入浴時に装着した際に、それら被着者の脆弱な肌を本人の手で掻きむしる害から防護することに特化した構成ではない。
【００１１】
また、特許文献３に開示された、電子部品などをクリーンルーム内で取り扱う場合や医用などの用途に好適に用いられる極薄のシリコーンゴム手袋も、生後１年位までの乳児が入浴時に装着した際に、それら被着者の脆弱な肌を本人の手で掻きむしる害から防護することに特化した構成ではない。
【００１２】
本発明は、このような問題に鑑みてなされたもので、その目的とするところは、特に生後１年位までの乳児が装着して湿疹やアトピー性皮膚炎等のかゆみによる掻きむしり等の有害行為を防ぐことが可能でしかも入浴時の装着に適するとともに、多彩な色付けができることも相まって若いお母さんにも好まれるような可愛らしいデザインで需要を喚起するような赤ちゃん用掻きむしり防止手袋を提供することにある。
【課題を解決するための手段】
【００１３】
本発明は、このような目的を達成するためになされたもので、請求項１に記載の発明は、被着者（１０）の５本の指（１〜５）の全部を一まとめに収容する赤ちゃん用掻きむしり防止手袋（２０）であって、少なくともシリコーンゴム層を有する単層又は多層構造の弾性膜（６）で形成され、前記被着者（１０）の手（１６）を出し入れする手首側開口部（７）と、前記被着者（１０）のいずれの指をも通さない構造で複数が穿設された流通孔（８）と、前記手首側開口部（７）の近傍には、前記弾性膜（６）の弾性に抗して拡径したときに前記被着者（１０）のすぼめた手（１６）を抵抗少なく出し入れ可能で、かつ前記弾性により縮径したときに前記被着者（１０）の手首（１７）の外径（Ｆ）と略一致するか又は柔軟に絞めて自然離脱し難く構成された内径（Ｇ）の括れ部（９）と、を備えたことを特徴とする。
【００１４】
また、請求項２に記載の発明は、請求項１に記載の赤ちゃん用掻きむしり防止手袋において、前記流通孔（８）は、前記被着者（１０）のいずれの指の第１関節より指先側の直径（Ｄ）よりも小さい直径（Ｅ）であることを特徴とする。
【００１５】
また、請求項３に記載の発明は、請求項１に記載の赤ちゃん用掻きむしり防止手袋において、前記流通孔（８）は、メッシュ（Ｍ）により構成されることを特徴とする。
【発明の効果】
【００１６】
本発明によれば、特に生後１年位までの乳児が装着して、湿疹やアトピー性皮膚炎等のかゆみによる掻きむしり等の有害行為を防ぐことが可能でしかも入浴時の装着に適するとともに、多彩な色付けができることも相まって若いお母さんにも好まれるような可愛らしいデザインで需要を喚起するような赤ちゃん用掻きむしり防止手袋を提供することができる。
【図面の簡単な説明】
【００１７】
【図１】本発明に係る赤ちゃん用掻きむしり防止手袋の基本実施例を示す平面図である。
【図２】本発明に係る赤ちゃん用掻きむしり防止手袋の変形実施例を示す平面図である。
【発明を実施するための形態】
【００１８】
以下、図面を参照して本発明の実施の形態について説明する。
［基本実施例］
図１は、本発明に係る赤ちゃん用掻きむしり防止手袋の基本実施例を示す平面図である。図１に示すように、赤ちゃん用掻きむしり防止手袋２０は、主な被着者１０である生後１年位までの乳児の脆弱な手や指に被せたり、着脱する際に害のない程度に柔軟な伸縮性を有するシリコーンゴムの弾性膜６により、先丸形状で奥部を丸く、手前側は被着者１０の手１６を出し入れする手首側開口部７として開放された袋に形成されている。
【００１９】
図１に例示した赤ちゃん用掻きむしり防止手袋２０は、被着者１０の片手の親指１、人差し指２、中指３、薬指４および小指５までの５本の指の全部を分けることなく一まとめに収容する先丸形状である。
【００２０】
また、手首側開口部７の近傍には、内径Ｇの括れ部９が形成されている。この括れ部９は、弾性膜６の弾性に抗して拡径したときに被着者１０のすぼめた手１６を抵抗少なく出し入れ可能で、かつ弾性により縮径したときに被着者１０の手首１７の外径Ｆと略一致するか又は柔軟に絞めて自然離脱し難く構成されている。また、弾性膜６は、少なくともシリコーンゴム層を有する単層又は多層構造のいずれかを採用している。つまり、弾性膜６は、シリコーンゴムだけを材料に限定するものではなく、例えば、被着者１０の肌に触れる表層にシリコーンゴムを配設し、人肌に触れない層には他の性質を有する材料の層を形成して、多層構造にしても構わない。
【００２１】
なお、シリコーンゴムは、人肌にも似た適度な柔軟性（固さ）を有する点、撥水性があり含水し難いため人が口に含んでも衛生的な点、耐熱性があり熱湯消毒も可能な点、抗菌・防カビ性を付加することもできる点、難燃性、耐久性、耐候性、接着性、透明性、着色性に優れているため製品化が容易な点のほか、生理的不活性であり、生体に触れた場合に、シリコーンゴム自体の化学変化が少ないばかりか、天然ゴムに比べると僅かではあるが通気性がある点で、生体へのダメージも少なく、生体に優しいので、人肌、特に乳児の脆弱な肌に直接触れる用途に適する。このため、赤ちゃん用掻きむしり防止手袋２０に適する材料である。したがって、被着者１０が赤ちゃん用掻きむしり防止手袋２０を装着した状態で入浴する場合にも、不具合が生じない。
【００２２】
この赤ちゃん用掻きむしり防止手袋２０は、複数の丸い流通孔８が穿設されて弾性膜６の両面に対して流通性を確保している。ただし、流通孔８から被着者１０の指先が飛び出した場合、その爪で自分の肌を掻きむしる等の有害行為を防止できないので、この流通孔８の大きさは、被着者１０の小指５を通さない大きさに限定されている。すなわち、流通孔８の直径Ｅは、被着者１０の小指５の第１関節より指先側の直径Ｄよりも小さく設定されている。被着者１０を１歳未満の乳児と想定し、最も細い小指５の第１関節より指先側の直径Ｄ＝５ｍｍであるならば、それよりも小さく、例えば、流通孔８の直径Ｅ＝３ｍｍ程度に設定することが望ましい。つまり、流通孔８の大きさは、被着者１０のいずれの指をも通さない構造である。
【００２３】
以上説明したように、本発明に係る赤ちゃん用掻きむしり防止手袋２０は、その主材料であるシリコーンゴムが、生体に優しく、人肌、特に乳児の脆弱な肌に直接触れる用途に適するので、生後１年位までの乳児が装着すれば、湿疹やアトピー性皮膚炎等のかゆみによる掻きむしり等の有害行為を防ぐことが可能である。しかも、このシリコーンゴムは、撥水性があり含水し難いため、人が入浴時に口に含んでも比較的衛生的である。
【００２４】
また、上述のように、シリコーンゴムは、透明性、着色性に優れているため多彩な色付けができるほか接着性も良好なため、若いお母さんにも好まれるような可愛らしいデザインによる商品化が容易である。したがって、本発明に係る赤ちゃん用掻きむしり防止手袋２０は、魅力的な商品として需要を喚起することが期待できる。
【００２５】
［変形実施例］
図２は、本発明に係る赤ちゃん用掻きむしり防止手袋の変形実施例を示す平面図である。図２に示すように、赤ちゃん用掻きむしり防止手袋２１は、弾性膜６の一部又は全部をメッシュ構成としている。メッシュの細かさは、図１に示した被着者１０の小指５の第１関節より指先側の直径Ｄよりも小さく設定されている。つまり、メッシュの細かさは、被着者１０のいずれの指をも通さない構造である。
【産業上の利用可能性】
【００２６】
本発明に係る赤ちゃん用掻きむしり防止手袋は、育児用品として適用される可能性があり、自分の行動を上手く制御できない乳児が、特に入浴時に装着することにより、湿疹やアトピー性皮膚炎等のかゆみによる掻きむしり等の有害行為を防ぐために適用される可能性がある。
【符号の説明】
【００２７】
１  親指、２  人差し指、３  中指、４  薬指、５  小指、６  弾性膜、７  手首側開口部、８  流通孔、９  括れ部、１０  被着者、１６  手、１７  手首、２０  赤ちゃん用掻きむしり防止手袋、Ｆ  （手首１７の）外径、Ｄ  （小指５の第１関節より指先側の）直径、Ｇ  （括れ部９の）内径、Ｍ  メッシュ
【図１】
2017014646.tif 000003
【図２】
2017014646.tif 000004